(57)【要約】バッテリパック（２８）が紛失不能且つ解離可能に挿入可能なケーシング（１２）を備えており、バッテリパック（２８）とケーシング（１２）との間に、特に工具、有利にはソーブレードを取り外すための細長い補助工具（３８）が保管されている手持ち式バッテリ工作機械（１０）、特に手持ち式鋸機械は、補助工具（３８）が外部から見えるように且つ快適に触知可能、特に把握可能に配置されていることによって、より確実且つ快適に操作可能になる。
2005511329.tif 000002
【特許請求の範囲】
【請求項１】
手持ち式バッテリ工作機械（１０）、特に手持ち式鋸機械であって、バッテリパック（２８）が紛失不能且つ解離可能に挿入可能なケーシング（１２）を備えており、バッテリパック（２８）とケーシング（１２）との間に、特に工具、有利にはソーブレードを取り外すための細長い補助工具（３８）が保管されている形式のものにおいて、
補助工具（３８）が外部から見えるように且つ快適に触知可能、特に把握可能に配置されていることを特徴とする、手持ち式バッテリ工作機械。
【請求項２】
補助工具（３８）がアングル状に、特にＬ字形に構成されており、両端部（３５，３７）が外部からは見えないようにケーシング（１２）に支承されており、中央域、特にアングル状の領域がケーシング（１２）から突出している、請求項１記載の手持ち式工作機械。
【請求項３】
補助工具（３８）のアングル状の領域が、ケーシング（１２）の外側輪郭を越えて突出している、請求項１又は２記載の手持ち式工作機械。
【請求項４】
ケーシング（１２）の外側輪郭が、少なくとも１本の指で把握可能なへこみ（４３）を形成している、請求項１から３までのいずれか１項記載の手持ち式工作機械。
【請求項５】
補助工具（３８）が２つの脚部、特に長い方の脚部（３５）と短い方の脚部（３７）とを有しており、一方の脚部がバッテリパック（２８）によって覆い隠されたケーシング（１２）の孔に、バッテリ挿入方向に対して平行に挿入可能であり且つ他方の脚部がバッテリパック（２８）に隣接してケーシング（１２）の溝（４２）に挿入可能である、請求項１から４までのいずれか１項記載の手持ち式工作機械。
【請求項６】
補助工具（３８）が、バッテリパック（２８）がケーシング（１２）から完全に取り外された状態においてのみ取出し可能である、請求項１から５までのいずれか１項記載の手持ち式工作機械。
【請求項７】
補助工具（３８）が、バッテリパック（２８）の挿入により解離不能に係止されてケーシング（１２）に固定されている、請求項１から６までのいずれか１項記載の手持ち式工作機械。
【発明の詳細な説明】
【０００１】
背景技術
本発明は、請求項１の上位概念に記載の形式の手持ち式バッテリ工作機械から出発する。
【０００２】
ケーシングと、解離可能なバッテリパックとの間に細長い補助工具が外部から見えないように収納されており、この補助工具がバッテリパックの取外し後にしか取り出せない手持ち式バッテリ工作機械は既に公知である。
【０００３】
この場合、補助工具は、例えば手持ち式鋸のソーブレード等の、手持ち式バッテリ工作機械の工具を解離若しくは固定するために役立つ。前記のように、補助工具をバッテリパックとケーシングとの間に収納することにより、ソーブレード交換がバッテリパックの解離状態においてのみ可能であるということが保証されている。これにより、スイッチボタンに誤って触ってしまった場合でも、ソーブレードがソーブレード交換中に運動してユーザを傷つけるということを排除することができる。
【０００４】
補助工具はバッテリパックとケーシングとの間に見えないように隠されているので、見つけだすことは比較的困難である。最悪の場合、ユーザは補助工具の収納場所を忘れて、バッテリを取り外さずに上で述べた怪我の危険を伴う別の適当な補助工具を使用してしまう。
【０００５】
発明の利点
請求項１の特徴部に記載の構成を有する本発明は、補助工具が手持ち式バッテリ工作機械の露出した位置で紛失しないように位置固定されてはいるが、はっきりと見えるように収納されており、特に迅速に、いわばブラインドで使用可能であるという利点を有している。
【０００６】
補助工具がアングル状に構成されており、両端部をケーシングに支承され且つ中央域、特にアングル状の領域がケーシングから突出していることにより、補助工具は特に良好に触知若しくは把持可能な突出部を形成している。
【０００７】
補助工具のアングル状の領域が把握可能であるようにケーシングの外側輪郭を越えて突出していることにより、補助工具は指でフック状に把握した状態で、バッテリパックの取外し後に特に簡単に取り出すことができる。更に、補助工具は前記配置形式に基づき、ハンギング可能、保管可能若しくは搬送可能な孔を形成している。
【０００８】
突出した補助工具の領域でケーシングの外側輪郭がへこみを形成していることにより、補助工具は少なくとも１本の指によって快適に把握することができ且つ特に簡単に取り出すことができる。
【０００９】
補助工具が２つの脚部、特に長い方の脚部と短い方の脚部とを有しており、一方の脚部がバッテリパックによって覆い隠されたケーシングの孔に、バッテリ挿入方向に対して平行に挿入可能であり且つ他方の脚部がバッテリパックに隣接してケーシングの溝に挿入可能であることに基づいて、補助工具は振動しないように保護されて保管されており且つ手持ち式バッテリ工作機械による作業時のがたつきノイズの危険が排除されている。
【００１０】
補助工具が、バッテリパックが取り外されたときにのみ取出し可能であり且つ挿入されたバッテリパックによって紛失不能に手持ち式工作機械に係止されていることによって、当該補助工具はバッテリパックが作動可能な状態では取り出されず、これにより、工具交換時のユーザの安全が保証されており且つ怪我の危険が最小限にされている。
【００１１】
実施例
以下に、本発明の実施例を図面につき詳しく説明する。
【００１２】
図１には、丸鋸として構成された手持ち式工作機械１０の側面図が示されており、この手持ち式工作機械１０のケーシング１２は、ユーザの保持手のためのハンドグリップ１４とガイド手のためのガイドハンドグリップ１５とを備えている。
【００１３】
主ハンドグリップ１４は、駆動モータ（図示せず）を接続・遮断するためのスイッチボタン１６を支持している。このスイッチボタン１６の上位には、該スイッチボタン１６を接続モードで固定するための側方に押込み可能な係止ボタン１７が配置されている。
【００１４】
ケーシング１２の側方にはモータケーシング１８を支持するソーブレードケーシング１９がフランジ締結されており、前記モータケーシング１８は図平面から手前側に延在している。
【００１５】
ソーブレードケーシング１９は下方に揺動防止カバー２０を支持しており、この揺動防止カバー２０は、丸鋸ブレード（図示せず）を保護するように取り囲んで係合している。
【００１６】
ケーシング１２及びソーブレードケーシング１９はフットプレート２２に結合されており、ヒンジ２４により前記フットプレート２２において高さ調節可能且つ旋回可能に支承されている。
【００１７】
固定ねじ２６によってヒンジ２４は係止可能なので、フットプレート２２に対するケーシング１２，１８の任意の旋回位置を決定することができる。
【００１８】
ケーシング１２からは、図平面で見て右下に向かって主ハンドグリップ１４の延在部に対して平行にバッテリパック２８が突出している。このバッテリパック２８は側方の解離ボタン３０を有しており、この解離ボタン３０を押すことによって、バッテリパック２８をケーシング１２から主ハンドグリップ１４に対して平行に取り外すことができるか、若しくは運動矢印４６に相応して取り出すことができる。ケーシング１２の下縁部３２の延長部には、六角オフセットスクリュドライバとして構成された補助工具３８が延在しており、この補助工具３８はアングル状に外側に向かってケーシング１２の輪郭から突出しており且つグリップ貫通孔５０を規定している。
【００１９】
補助工具３８は、長い方の脚部３５を以てバッテリパック２８の挿入方向に対して平行に、ケーシング１２内部の密接に適合されたばね弾性的な挿入開口４０に突入しており且つ短い方の脚部３７を以て、ケーシング２の下縁部に対して平行に溝底部４４と整合するまで挿入溝４２に挿入可能である。
【００２０】
図２には、手持ち式工作機械１０のケーシング１２がモータケーシング１８及びソーブレードケーシング１９無しで、バッテリパック２８及び補助工具３８と一緒に分解図で示されている。
【００２１】
この場合、バッテリパック２８のコンタクトシリンダ２９がはっきりと認識され、このコンタクトシリンダ２９を以てバッテリパック２８は運動矢印４６に相応してハンドグリップ１４若しくはケーシング１２の内部に深く挿入される。
【００２２】
レンチとも呼ばれる補助工具３８は、長い方の脚部を以て挿入開口４０に挿入されて、短い方の脚部３７が溝底部４４に当接するまで挿入可能である。この場合に初めて、バッテリパック２８をケーシング１２に突入係止可能に固定することができる。
【００２３】
バッテリパック２８の取出しは挿入方向とは逆方向で行われる。また、ケーシング１２からバッテリパック２８を取り出した後に初めて、そもそも若しくは快適に補助工具３８の取外しが可能である。このことは、凹面に湾曲されたケーシング輪郭によって形成されたケーシング１２のへこみ４３と、補助工具３８のアングル状の領域とによって形成されるグリップ貫通孔５０への係合によって行われる。
【００２４】
ケーシング１２は、ねじ３４，３６を差込み可能な側方のねじ用開口７４，７６を有しており、前記ねじ３４，３６によってソーブレードケーシング１９はフランジ式でケーシング１２の側方にねじ締結可能である。
【００２５】
従って、補助工具３８はバッテリパック２８がケーシング１２から取り外されているときにのみ、取り出すことができる。この場合、補助工具３８によって、モータ軸にソーブレード（図示せず）を固定するための六角穴付きねじ（図示せず）を、解離方向若しくは固定方向にねじ回すことができる。これにより、スイッチボタン１６に誤って接触した場合でも、手持ち式バッテリ工作機械の電動モータは運動させられず、ユーザがソーブレード交換時にその回転によって傷つけられないということが保証されている。
【図面の簡単な説明】
【図１】
補助工具を備えた手持ち式工作機械の側面図である。
【図２】
バッテリパックと補助工具とを備えた手持ち式工作機械のハンドグリップ部分の分解図である。
【図３】
図２に示したハンドグリップ部分を結合した状態で示した図である。
【符号の説明】
１０  手持ち式工作機械、  １２  ケーシング、  １４  ハンドグリップ、  １５  ガイドハンドグリップ、  １６  スイッチボタン、  １７  係止ボタン、  １８  モータケーシング、  １９  ソーブレードケーシング、  ２０  揺動防止カバー、  ２２  フットプレート、  ２４  ヒンジ、  ２６  固定ねじ、  ２８  バッテリパック、  ３０  解離ボタン、  ３２  下縁部、  ３５  長い方の脚部、  ３７  短い方の脚部、  ３８  補助工具、  ４０  挿入開口、  ４２  挿入溝、  ４３  へこみ、  ４４  溝底部、  ５０  グリップ貫通孔、  ７４，７６  ねじ用開口
【図１】
2005511329.tif 000003
【図２】
2005511329.tif 000004
【図３】
2005511329.tif 000005
【国際調査報告】
2005511329.tif 000006
2005511329.tif 000007
2005511329.tif 000008
2005511329.tif 000009